(57)【特許請求の範囲】
【請求項１】
刈取部（８）の後部に、左右方向に回動軸線を有するスクリュー型の第一ロータ（２１）と第二ロータ（２２）を、前後に平行に配置した汎用コンバインにおいて、該後側の第二ロータ（２２）の後方には、左右方向に回動軸線を有する排稈ビータ（６１）を配置し、該排稈ビータ（６１）により排稈を強制的に後方に送り出す構成とし、前記第二ロータ（２２）の外周面には、受網（２４）を内面に張設した受網枠（４４）が配設され、該受網枠（４４）には、前記排稈ビータ（６１）の下方を被装し、側面視Ｕ字状のガイドプレート（６０）の前端部（６０ａ）を固定し、該受網（２４）の左後部には排出口（２４ａ）を開口し、該排出口（２４ａ）においては、前記第二ロータ（２２）の上部カバー（３６）の後部を、前記第二ロータ（２２）の外周面より後上方に離れるように延出し、前記排出口（２４ａ）上方の上部カバー（３６）の傾斜角度を、該排出口（２４ａ）上方以外の部分の上部カバー（３６）の傾斜角度よりも緩傾斜状として、排出上部口（３６ｃ）を形成し、該ガイドプレート（６０）の前端部（６０ａ）は、該排出上部口（３６ｃ）の後端部よりも、前方に離間して配置したことを特徴とする汎用コンバイン。
【請求項２】
請求項１記載の汎用コンバインにおいて、前記第二ロータ（２２）の後方には、前記排稈ビータ（６１）と平行に、左右方向に回動軸線を有する吸引ファン（９２）を配置し、前記排稈ビータ（６１）と吸引ファン（９２）の下方に、一番コンベア（２８）と二番コンベア（３１）を前後に平行に配置し、該一番コンベア（２８）と二番コンベア（３１）の各回動軸上に固設したプーリの間に中間プーリ（１４０）を設けて、前記排稈ビータ（６１）の駆動軸（６１ｂ）上に固設したプーリ（１５６）とを、ベルト（１５３）を介して駆動するとともに、該中間プーリ（１４０）と、前記吸引ファン（９２）の回動軸（９２ａ）上のプーリ（１５５）とを、ベルト（１５４）で巻回して、該吸引ファン（９２）を駆動することを特徴とする汎用コンバイン。
【発明の詳細な説明】
【０００１】
【発明の属する技術分野】
本発明は、刈取部の後部に左右方向に回動軸線を有するスクリュー型のロータを前後に平行に配置し、後ロータの後方には左右方向に回動軸線を有する排稈ビータを配置した汎用コンバインの構成に関する。
【０００２】
【従来の技術】
従来より、刈取部の後部にスクリュー型のロータを左右方向に配置し、後ロータの後方に排稈ビータを左右方向に配置した汎用コンバインにおいては、脱穀入口へ刈り取った穀稈が送られると、前ロータ（以下「第一ロータ」とする）の回転によって、刈取穀稈は右方へ搬送されながら脱粒され、第一ロータの右端に至ると連通部から後ロータ（以下「第二ロータ」とする）に送られ、該第二ロータの回転によって左方へ搬送されながら脱粒され、第二ロータの左端に送られると、排稈は第二ロータ下方の受網の左端部に開口した排出口より落下される。該排出口から落下された排稈は、排出口近傍の排稈ビータにより強制的に後方に投げ出された後、該排稈ビータ後方に配設された吸引ファンにより取り込まれ、更に、後方のスプレッダーに送り込まれて切断され、機体後端部から圃場に排出されるように構成されていた。
【０００３】
前記第一ロータと第二ロータの上方は側面視で下方を開放させた略コ字状に形成された上部カバーで覆われているが、第二ロータの左側後部の排出口近傍においては、上部カバーの後部を第二ロータの外周面より後上方に離れるように延出し、その傾斜角度を緩傾斜状として排出上部口を形成し、前記排出口と合わせて排稈を排出する開口を大きくしていた。また、前記吸引ファンの回転方向は排稈ビータと逆方向であるため、従来は、排稈ビータへの駆動力をギアケースなどを介して逆転した後に、吸引ファンに伝達するようにしていた。
【０００４】
【発明が解決しようとする課題】
しかし、前記排出上部口に対し、排出口から後下方に設けたガイドプレートの前端部は、略同一位置または後方位置にあったため、排出口から落下された排稈の一部は排稈ビータに掻き込まれずにそのまま第二ロータの下方に潜り込んで堆積する場合があり、排稈の受け継ぎ性に劣る、という問題があった。
【０００５】
また、吸引ファンを駆動するには、プーリや逆転のためのギアケースなどが別途必要であり、機体の大型化や部品コストの増加を招く、という問題があった。
【０００６】
【課題を解決するための手段】
本発明の解決しようとする課題は以上の如くであり、次にこの課題を解決するための手段を説明する。
請求項１においては、刈取部（８）の後部に、左右方向に回動軸線を有するスクリュー型の第一ロータ（２１）と第二ロータ（２２）を、前後に平行に配置した汎用コンバインにおいて、該後側の第二ロータ（２２）の後方には、左右方向に回動軸線を有する排稈ビータ（６１）を配置し、該排稈ビータ（６１）により排稈を強制的に後方に送り出す構成とし、前記第二ロータ（２２）の外周面には、受網（２４）を内面に張設した受網枠（４４）が配設され、該受網枠（４４）には、前記排稈ビータ（６１）の下方を被装し、側面視Ｕ字状のガイドプレート（６０）の前端部（６０ａ）を固定し、該受網（２４）の左後部には排出口（２４ａ）を開口し、該排出口（２４ａ）においては、前記第二ロータ（２２）の上部カバー（３６）の後部を、前記第二ロータ（２２）の外周面より後上方に離れるように延出し、前記排出口（２４ａ）上方の上部カバー（３６）の傾斜角度を、該排出口（２４ａ）上方以外の部分の上部カバー（３６）の傾斜角度よりも緩傾斜状として、排出上部口（３６ｃ）を形成し、該ガイドプレート（６０）の前端部（６０ａ）は、該排出上部口（３６ｃ）の後端部よりも、前方に離間して配置したものである。
【０００７】
請求項２においては、請求項１記載の汎用コンバインにおいて、前記第二ロータ（２２）の後方には、前記排稈ビータ（６１）と平行に、左右方向に回動軸線を有する吸引ファン（９２）を配置し、前記排稈ビータ（６１）と吸引ファン（９２）の下方に、一番コンベア（２８）と二番コンベア（３１）を前後に平行に配置し、該一番コンベア（２８）と二番コンベア（３１）の各回動軸上に固設したプーリの間に中間プーリ（１４０）を設けて、前記排稈ビータ（６１）の駆動軸（６１ｂ）上に固設したプーリ（１５６）とを、ベルト（１５３）を介して駆動するとともに、該中間プーリ（１４０）と、前記吸引ファン（９２）の回動軸（９２ａ）上のプーリ（１５５）とを、ベルト（１５４）で巻回して、該吸引ファン（９２）を駆動するものである。
【０００８】
【発明の実施の形態】
以下、本発明の実施例を図面に基づいて詳述する。図１は汎用コンバインの全体側面一部断面図、図２は同じく全体平面一部断面図、図３は脱穀部及び選別装置の側面断面図、図４は脱穀部及びグレンタンクの側面図、図５は脱穀部後方の排出口近傍を示す側面一部断面図、図６はガイドプレート前端部と排出上部口の後端部との位置関係の説明図であり、（ａ）は本発明の場合、（ｂ）は従来の場合であり、図７は吸引ファンへの動力伝達経路を示す側面図、図８は吸引ファン周辺の動力伝達機構図である。
【０００９】
まず、本発明に係わる汎用コンバインの全体構成について、図１乃至図３により説明する。クローラー式走行装置１上に機枠フレーム１３が搭載され、該機枠フレーム１３上に選別装置１９や脱穀部１８と、エンジン４８等を収納するエンジンルーム４９が載置固定され、脱穀部１８上には穀粒を均等分散させるためのレベリングディスク１０１とガイド板１１６とを内設するグレンタンク３０が配置され、該グレンタンク３０側部にはその内部に貯留された穀粒を排出する排出オーガ４０が配置されている。また、前記機枠フレーム１３より前方に刈取部８が突出されている。刈取部８はプラットホーム２内に横送りオーガ３を左右方向に収納し、回転駆動することによって穀稈を略左右中央に集めるようにしている。前記プラットホーム２前端下部には刈刃４が横設され、該刈刃４の前上方には掻込リール５が配設されている。前記プラットホーム２の両側の後部上に昇降リンク６の後部が枢支され、該昇降リンク６の前端に前記掻込リール５が回転自在に支持され、油圧モーター等によって掻込リール５が回転駆動される。また、前記プラットホーム２の両側前端には分草板７が配設されている。
【００１０】
前記刈取部８と脱穀部１８の間には搬送装置９が配置され、該搬送装置９は、フィーダハウス１０内にコンベア１１が収納され、前記プラットホーム２の後部左右中心よりやや進行方向に対して左側寄りで、前記横送りオーガ３のスクリュー羽根の送り終端位置に合わせてフィーダハウス１０の前端が連通されている。該フィーダハウス１０の後端は、脱穀入口１２に連通されており、該脱穀入口１２前方には左右水平方向に回転軸心を有する円筒状のビータ３４が配置され、穀稈を強制的に脱穀部１８へ送るようにしている。フィーダハウス１０の後部は機枠フレーム１３に昇降回動自在に支持されている。そして、フィーダハウス１０の下面と機枠フレーム１３との間には図示せぬ油圧シリンダーを介装して、刈取部８を昇降可能としている。さらに、前記フィーダハウス１０とビータ３４の上方には運転席１５や操向ハンドル１６等を収納したキャビン１７を配置し、該キャビン１７は機体左右中央前方の上方位置に配置して視界を良好として、刈取作業を確認し易くし、左右両側より乗り降りできるようにしている。
【００１１】
また、前記フィーダハウス１０、ビータ３４及び脱穀入口１２は、機体の進行方向に向かって左側寄りに設けられ、該脱穀入口１２は第一ロータ（前ロータ）２１の左前部に配置して、穀稈を脱穀部１８の第一ロータ２１の回動によって右方へ搬送するようにしている。
【００１２】
前記脱穀部１８は、第一ロータ２１と第二ロータ２２と受網２３・２４等からなり、前記機枠フレーム１３上部に収納されている。前記第一ロータ２１と第二ロータ２２は略同じ形状に構成されており、筒の外周は、周囲に図示せぬ複数の扱歯を有するスクリュー羽根２１ａ・２２ａを設けたスクリュー型に構成されて、軸心は左右水平方向に向けられて、前後平行に配置されている。前後方向に軸芯を有するロータを配置した脱穀部では前後方向に長くなるが、本実施例の如く左右に軸芯を有するロータ２１・２２を設けた脱穀部１８では前後方向に短くすることができ、選別装置１９後部の上方の空間を利用してエンジンルーム４９を設けることができ、効率良くレイアウトができる。
【００１３】
前記第一ロータ２１と第二ロータ２２の下方には、それぞれ受網２３・２４が配置され、第一ロータ２１と第二ロータ２２の上方はそれぞれ上部カバー３５・３６が配置されて、前ロータ室と後ロータ室を構成している。また、第一ロータ２１下方の受網２３右側の後部は前低後高に緩やかな円弧状で傾斜させ、第二ロータ２２の上外周の接線方向に向かって延出されて連通部２３ａが形成され、該連通部２３ａ後端は第二ロータ２２の回転軌跡の前端部近傍まで延出されている。前記受網２４の左後部には排出口２４ａが開口されている。
【００１４】
更に、前記上部カバー３５・３６の水平状に成形した上部の内周面には送塵弁５９が左右幅方向に適宜間隔を開けて設けられ、上部カバー３５・３６上部に上下方向の回動支点を中心に回動自在に枢支されており、該送塵弁５９を回動操作することによって、穀稈が第一ロータ２１・第二ロータ２２内を移動する時間を穀稈の品種や穀稈の状態に合わせた調整することができ、様々な品種等に合わせた汎用性のある脱穀部１８が構成されるのである。
【００１５】
また、第一ロータ２１のスクリュー羽根２１ａは、第一ロータ２１の左端より連通部２３ａの直左側までの間に形成され、連通部２３ａ前方の第一ロータ２１外周面には第一ロータ２１の半径方向に突出する板状の送り羽根２１ｂ・２１ｂ・・が形成されている。同様に第二ロータ２２のスクリュー羽根２２ａは、第二ロータ２２の右端部より排出口２４ａの直右側までの間に形成され、スクリュー羽根２２ａ終端部より左側の排出口２４ａ前方の第二ロータ２２外周面に送り羽根２２ｂ・２２ｂ・・が形成され、脱穀後の排藁（排稈）を送り羽根２２ｂ・２２ｂ・・で送って排出口２４ａより排出するようにしている。
【００１６】
このような構成において、フィーダハウス１０から脱穀入口１２へ刈り取った穀稈が送られると、第一ロータ２１の回転によって、刈取穀稈は右方へ搬送されながら脱粒される。そして、第一ロータ２１の右端に至ると緩傾斜状に形成した連通部２３ａから第二ロータ２２の脱穀空間に送られ、第二ロータ２２の回転によって左方へ搬送されながら脱粒され、第二ロータ２２の左端に送られると、排出口２４ａより落下される。
【００１７】
該排出口２４ａ下部から後下方にはガイドプレート６０が延出され、該ガイドプレート６０後部の上方とエンジンルーム４９底面との間位置には、強制的に排稈を後方に送り出す排稈ビータ６１が設けられている。該排稈ビータ６１は前記ロータ２１・２２の外径に比べ外径を小さくしたコンパクトとし組立容易な形状とし、排稈ビータ６１の回転速度を第二ロータ２２の回転速度より速くして排稈ビータ６１の周速度をロータ２１・２２より同等以上の速さとし、排稈を後方に送り出す性能を高めている。
【００１８】
前記排稈ビータ６１は、左端部が排出口２４ａの左端部と一致し、排稈ビータ６１の右端部は排出口２４ａ右端部よりさらに右側に延出し、排出口２４ａより排出された排稈を後方に左右幅広く搬送し、排稈ビータ６１後方の吸引ファン９２に取り込まれ、機体後端部に左右に全幅に渡って横架されたチッパー式のスプレッダー６２に受け継いで、該スプレッダー６２の複数の鉈状の刃によって切断され、機体後端部より圃場に排出される。
【００１９】
また、前記脱穀部１８下方には選別装置（揺動選別装置）１９が配置され、その構成は、流穀板２５、揺動本体５０、選別風を発生させる唐箕２７、選別された一番物を左右方向に搬送する一番コンベア２８と二番物を搬送する二番コンベア３１等より構成されている。前記一番コンベア２８及び二番コンベア３１は側面視でクローラー式走行装置１の後方に横設され、一番コンベア２８の左端部に連通して立状に配したバケット式の揚穀コンベア２９や、一番コンベア２８の左端部の左端部に連設する還元コンベア３２とクローラー式走行装置１とが干渉することのない効率的なレイアウトとしている。さらに、選別装置１９は機枠フレーム１３の前後途中部より後部の間に収納され、選別装置１９前方の機枠フレーム１３前部とフィーダハウス１０後下方位置には図示せぬ走行駆動用のミッション装置を配置でき、効率の良いレイアウトとして全長を短くすることができる。
【００２０】
前記揺動本体５０は、前記第一ロータ２１前端の下方より選別装置１９の後端までに渡って配置され、揺動リンク機構５１によって揺動自在に支持されている。前記揺動本体５０前部には第一ロータ２１と第二ロータ２２の下方に渡って落下された穀稈を受けるグレーンパン５０ａが形成されている。該グレーンパン５０ａは側面視で波状に形成され揺動本体５０の揺動で後方に搬送するようにしている。
【００２１】
前記グレーンパン５０ａ後端には連設してフルイ線５２が配置されている。該フルイ線５２の下方より揺動本体５０の後端部にかけて、揺動本体５０の幅方向に横架した複数のチャフフィンより成るチャフ部が配置されている。該チャフ部は、前側より脱粒された穀稈量に応じてチャフフィンの前下がり傾斜角度が変わる可動チャフ５３と、手動によってチャフフィンの前下がり傾斜角度が変える手動チャフ５４と、チャフフィンの前下がり傾斜角度が固定された固定チャフ５５より構成されている。該チャフ部の下方の揺動本体５０底面は落下口５５ｂが開口され、図示せぬクリンプ網によって被装されている。
【００２２】
また、前記揺動本体５０のグレーンパン５０ａの前後途中部の下方に唐箕２７が横設され、ガイドに従って後方に選別風を送り落下口５０ｂ等より揺動本体５０内に選別風を送風して、前記チャフ部で比重選別と風選別とを行い、一番物と二番物とに選別している。
【００２３】
すなわち、前記第一ロータ２１と第二ロータ２２の受網２３・２４より落下された穀粒や藁屑等は、揺動本体５０のグレーンパン５０ａ上に受け止められて後方に搬送され、グレーンパン５０ａ後部よりフルイ線５２で後方に跳ね飛ばされて、そのままチャフ部に落下させて比重選別と風選別とが行われるのである。
【００２４】
次に、本発明に係わる上部カバー３５・３６とガイドプレート６０の位置関係について、図３乃至図６により詳細に説明する。第二ロータ２２の左側後部の排出口２４ａを除き、図４に示すように、上部カバー３５・３６は側面視で下方を開放させた略コ字状であり、該上部カバー３５・３６のうちの上半部外側側面はＶ字状部材３５ａ・３６ａから成り、該Ｖ字状部材３５ａ・３６ａはヒンジ１４１・１４２により枢支され、該ヒンジ１４１・１４２を中心に外方に回動して開放できるようにしている。
【００２５】
さらに、Ｖ字状部材３５ａ・３６ａ上部には操作アーム３５ｂ・３６ｂが配設され、該操作アーム３５ｂ・３６ｂ下部には図示せぬフックが設けられており、操作アーム３５ｂ・３６ｂを上方に回動することにより、該フックによるロックが解除されＶ字状部材３５ａ・３６ａを上方に開放することができ、ロータ２１・２２の保守管理作業を容易に行うことが可能な構成となっている。
【００２６】
図３、図５に示すように、排出口２４ａにおいては、第二ロータ２２の上部カバー３６の後部を第二ロータ２２の外周面より後上方に離れるように延出し、その傾斜角度を緩傾斜状として排出上部口３６ｃを形成して、前記排出口２４ａと合わせて排稈を排出する開口を大きくしている。なお、前記排出上部口３６ｃは徐々に略コ字状から円弧状に成るように構成している。さらに、ロータ２２・２３の外周面には前記受網２３・２４を内面に張設した受網枠４３・４４が配設され、このうちの受網枠４４には側面視Ｕ字状の前記ガイドプレート６０の前端部６０ａが固定され、該前端部６０ａは前記排出上部口３６ｃよりも大きく前方に離間して配置されている。
【００２７】
このような構成においては、図５、図６に示すように、第二ロータ２２から排出された排稈は確実にガイドプレート６０上面に落下し（図６（ａ））、該ガイドプレート６０上面を滑り落ちながら、回動する排稈ビータ６１の外周面に植設された複数個の側面視逆Ｖ型の送り歯６１ａ・６１ａ・・によって後方の吸引ファン９２に向かって送り出されるので、従来のように落下した排稈の一部が、排稈ビータ６１に掻き込まれずにそのまま第二ロータ２２の下方に潜り込み堆積する（図６（ｂ））という恐れがなく、排稈の受け継ぎ性を著しく向上させることができるのである。
【００２８】
なお、排稈ビータ６１上面にはビータカバー１４３を近接して設け、排稈ビータ６１上方から排出口２４ａ側に排稈が逆戻りするのを防止するようにし、また、吸引ファン９２上面にもファンカバー１４４を設け、該ファンカバー１４４と吸引ファン９２との間を、排稈が後方に向けて確実に移動できるようにしている。また、排稈ビータ６１直後部には排稈センサー１４６が配設され、該排稈センサー１４６はセンサー本体１４６ａと該センサー本体１４６ａに軸支されたセンサアーム１４６ｂとから構成されており、該センサアーム１４６ｂ近傍に排稈が堆積した場合には、該センサアーム１４６ｂが前方に押されてアラームが鳴るようにし、排稈の堆積状況をオペレータが検出できるようにしている。
【００２９】
次に、本発明に係わる吸引ファン９２への動力の伝達構成について、図７、図８により説明する。図８に示すように、エンジン４８の回動軸端には多連プーリ１０２が固設され、該多連プーリ１０２と駆動プーリ１１５を介してエンジン４８の駆動力が排稈ビータ６１に伝達される。該排稈ビータ６１の駆動軸６１ｂの右端部には選別装置伝動プーリ１５６が固設されると共に、一番コンベア２８と二番コンベア３１の各々の回動軸２８ａ・３１ａの右端部で、機枠フレーム１３右側面より右側に突設された端部には、プーリ１５１・１５２が固設されている。該プーリ１５１・１５２の間には中間プーリ１４０が配置され、これらのプーリ１５６・１５１・１５２・１４０との間にベルト１５３が巻回され連動されている。このように中間プーリ１４０を配することにより、ベルト１５３とプーリ１５１・１５２との巻掛け角度を大きく取ることができるため、すべり損失を少なくすることができ、駆動力の伝達効率を著しく向上できるようにしている。
【００３０】
また、前記中間プーリ１４０は二連式のプーリであり、後方の吸引ファン９２を回動させる駆動軸９２ａの右端部に固設したプーリ１５５との間には、ベルト１５４が巻回され連結連動されている。このように、前記中間プーリ１４０を吸引ファン９２の駆動プーリとして使用することができ、その上、吸引ファン９２への駆動力をギアケースなどを介して逆転して伝達する必要もないため、省スペースや部品コストの低減を図ることができるのである。
【００３１】
【発明の効果】
本発明は、以上のように構成したので、次のような効果を奏するものである。
請求項１に記載の如く、刈取部（８）の後部に、左右方向に回動軸線を有するスクリュー型の第一ロータ（２１）と第二ロータ（２２）を、前後に平行に配置した汎用コンバインにおいて、該後側の第二ロータ（２２）の後方には、左右方向に回動軸線を有する排稈ビータ（６１）を配置し、該排稈ビータ（６１）により排稈を強制的に後方に送り出す構成とし、前記第二ロータ（２２）の外周面には、受網（２４）を内面に張設した受網枠（４４）が配設され、該受網枠（４４）には、前記排稈ビータ（６１）の下方を被装し、側面視Ｕ字状のガイドプレート（６０）の前端部（６０ａ）を固定し、該受網（２４）の左後部には排出口（２４ａ）を開口し、該排出口（２４ａ）においては、前記第二ロータ（２２）の上部カバー（３６）の後部を、前記第二ロータ（２２）の外周面より後上方に離れるように延出し、前記排出口（２４ａ）上方の上部カバー（３６）の傾斜角度を、該排出口（２４ａ）上方以外の部分の上部カバー（３６）の傾斜角度よりも緩傾斜状として、排出上部口（３６ｃ）を形成し、該ガイドプレート（６０）の前端部（６０ａ）は、該排出上部口（３６ｃ）の後端部よりも、前方に離間して配置したので、排出口から落下された排稈を、トラブルなく確実に排稈ビータに受け渡すことができ、排稈の排出を円滑に進めて、脱穀作業全体の効率も向上させることができる。
【００３２】
請求項２に記載の如く、請求項１記載の汎用コンバインにおいて、前記第二ロータ（２２）の後方には、前記排稈ビータ（６１）と平行に、左右方向に回動軸線を有する吸引ファン（９２）を配置し、前記排稈ビータ（６１）と吸引ファン（９２）の下方に、一番コンベア（２８）と二番コンベア（３１）を前後に平行に配置し、該一番コンベア（２８）と二番コンベア（３１）の各回動軸上に固設したプーリの間に中間プーリ（１４０）を設けて、前記排稈ビータ（６１）の駆動軸（６１ｂ）上に固設したプーリ（１５６）とをベルト（１５３）を介して駆動するとともに、該中間プーリ（１４０）と、前記吸引ファン（９２）の回動軸（９２ａ）上のプーリ（１５５）とをベルト（１５４）で巻回して、該吸引ファン（９２）を駆動するので、吸引ファン駆動のためのプーリやギアケースなどを省略することができ、機体の大型化や部品コストの増加を回避することができる。
【図面の簡単な説明】
【図１】  汎用コンバインの全体側面一部断面図である。
【図２】  同じく全体平面一部断面図である。
【図３】  脱穀部及び選別装置の側面断面図である。
【図４】  脱穀部及びグレンタンクの側面図である。
【図５】  脱穀部後方の排出口近傍を示す側面一部断面図である。
【図６】  ガイドプレート前端部と排出上部口の後端部との位置関係の説明図であり、（ａ）は本発明の場合、（ｂ）は従来の場合である。
【図７】  吸引ファンへの動力伝達経路を示す側面図である。
【図８】  吸引ファン周辺の動力伝達機構図である。
【符号の説明】
８  刈取部
１９  選別装置
２１・２２  ロータ
２２  後ロータ
２８  一番コンベア
３１  二番コンベア
３６ｃ  排出上部口
６０  ガイドプレート
６１  排稈ビータ
９２  吸引ファン
１４０  中間プーリ
１５１・１５２・１５６  プーリ
１５５  プーリ（吸引ファン）
【図１】
0004782260.tif 000002
【図２】
0004782260.tif 000003
【図３】
0004782260.tif 000004
【図４】
0004782260.tif 000005
【図５】
0004782260.tif 000006
【図６】
0004782260.tif 000007
【図７】
0004782260.tif 000008
【図８】
0004782260.tif 000009